(57)【要約】      （修正有）【課題】散光筒を柄として組み合わせ得る簡易かつ迅速組立可能な構造のものでかつ簡単な構造でありながらガラス割り機能を迅速・確実に発揮し得るものとしたハンマー本体までも構成の中に備えた携行型複合機能器具セットを提供する。【解決手段】電池を収納可能な把持部を備えた機能ボディとこの機能ボディＡに脱着可能な散光筒Ｂとからなり、機能ボディは、先端と後端とを有する筒体であり、その先端内には散光筒内に投光可能な電球やＬＥＤなどの投光手段１５が設けられるとともに、機能ボディには、音発生手段が設けられた携行型複合機能器具セットであって、セットの他の器具要素として、散光筒に装着可能なハンマービット付きハンマー本体Ｃが構成され、機能ボディと散光筒およびハンマー本体が１つの携行ポーチＰに出し入れ自在に収納されるようになっている。【選択図】図７
0003223417.tif 000002
【実用新案登録請求の範囲】
【請求項１】
電池を収納可能な把持部を備えた機能ボディとこの機能ボディに脱着可能な散光筒とからなり、機能ボディは、先端と後端とを有する筒体であり、その先端内には散光筒内に投光可能な電球やＬＥＤなどの投光手段が設けられるとともに、機能ボディには、音発生手段が設けられた携行型複合機能器具セットであって、セットの他の器具要素として、散光筒に装着可能なハンマービット付きハンマー本体が構成され、機能ボディと散光筒およびハンマー本体が１つの携行ポーチに出し入れ自在に収納されるようになっている携行型複合機能器具セット。
【請求項２】
請求項１に記載の携行型複合機能器具セットにおいて、ハンマー本体は、散光筒に対してねじ構造で装着可能になっている携行型複合機能器具セット。
【考案の詳細な説明】
【技術分野】
【０００１】  この考案は、携行型複合機能器具セットに関する。
【背景技術】
【０００２】  非常時の投光や交通誘導機能の他に防災・防犯上役立つ小型携行型（ハンディ型）の携行型複合機能器具として、機能ボディと散光筒からなる誘導棒とも称するセットは良く知られている。そうした装具の一つとして特許文献１に開示されたものがある。
【先行技術文献】
【特許文献】
【０００３】
【特許文献１】実用新案登録第３２１１９９７号公報
【考案の概要】
【考案が解決しようとする課題】
【０００４】  特許文献１に開示された誘導棒（複合機能器具）は、電池を収納可能な把持部を備えた機能ボディとこの機能ボディに脱着可能な散光筒とからなり、機能ボディは、先端と後端とを有する筒体であり、その先端内には散光筒内に投光して散光を可能とする電球やＬＥＤなどの投光手段が設けられるとともに、この機能ボディは、電源スイッチの他にサイレンやメガホンなどの拡大音発生手段を備えた複合機能型となっている。
こうした誘導棒は多くの機能を発揮する有益なものであるが、現実に発生する非常事態には想定以上の多くのものがありそれらに今一つ対応し切れるものではなかった。【０００５】  この考案は、上記問題を解決しようとするものであり、散光筒を柄として組み合わせ得る簡易かつ迅速組立可能な構造のものでかつ簡単な構造でありながらガラス割り機能を迅速・確実に発揮し得るものとしたハンマー本体までも構成の中に備えた携行型複合機能器具セットを提供することを目的とする。
【課題を解決するための手段】
【０００６】  この考案は上記目的を達成するため、請求項１に記載の考案は、電池を収納可能な把持部を備えた機能ボディとこの機能ボディに脱着可能な散光筒とからなり、機能ボディは、先端と後端とを有する筒体であり、その先端内には散光筒内に投光可能な電球やＬＥＤなどの投光手段が設けられるとともに、機能ボディには、音発生手段が設けられた携行型複合機能器具セットであって、セットの他の器具要素として、散光筒に装着可能なハンマービット付きハンマー本体が構成され、機能ボディと散光筒およびハンマー本体が１つの携行ポーチに出し入れ自在に収納されるようになっている。
請求項２に記載の考案は、請求項１に記載の携行型複合機能器具セットにおいて、ハンマー本体は、散光筒に対してねじ構造で装着可能になっている。前記投光手段はライトとも称することがある。
【考案の効果】
【０００７】  上述したように請求項１に記載の考案は、電池を収納可能な把持部を備えた機能ボディとこの機能ボディに脱着可能な散光筒とからなり、機能ボディは、先端と後端とを有する筒体であり、その先端内には散光筒内に投光可能な電球やＬＥＤなどの投光手段が設けられるとともに、機能ボディには、音発生手段が設けられた携行型複合機能器具セットであって、セットの他の器具要素として、散光筒に装着可能なハンマービット付きハンマー本体が構成され、機能ボディと散光筒およびハンマー本体が１つの携行ポーチに出し入れ自在に収納されるようになっているので、散光筒を柄として組み合わせ得る簡易かつ迅速組立可能な構造のものでかつ簡単な構造でありながらガラス割り機能を迅速・確実に発揮し得るものとしたハンマー本体までも構成の中に備えた携行型複合機能器具セットを提供することができる。
【図面の簡単な説明】
【０００８】
【図１】  この考案の携行型複合機能器具セットの一例を示す上面図。
【図２】  図１の機能ボディをＸ方向からみて示す矢視図。
【図３】  図２のＹ方向からの矢視図。
【図４】  機能ボディに散光筒を装着して誘導棒を構成した際の上面図。
【図５】  散光筒とハンマー本体との組み合わせ方を示す上面図。
【図６】  散光筒にハンマー本体を組み付けてハンマーを構成した場合の作用説明図。
【図７】  各機能器具類を携行ポーチにセットした様子を斜め上方からみて示す正面図。
【図８】  ハンマーの他の実施形態を示す断面図。
【考案を実施するための形態】
【０００９】  以下、この考案である携行型複合機能器具セットの一実施形態を図１ないし図８に基づいて説明する。
これらの図に示す携行型複合機能器具セットは、機能ボディＡと散光筒Ｂおよびハンマー本体Ｃからなり、これらを出し入れ自在に収納して携行ができ車両搭載も可能とする携行ポーチＰも備えている。機能ボディＡは、図１から図３に示すように楕円筒状をなす把持部１とその先部である拡開状の先部２とを有するボディ本体３と、このボディ本体３に結合された円筒状をなすキャップ４とを有する。ボディ本体３内には、集積回路基板５が内蔵されるとともに複数本の電池６…が装填されるようになっている。ボディ本体３の尾端には、上側に声受入口７がまた下半分にヒンジ支持で開閉式の電池装填蓋８が設けられている。９はその蓋ロック解除片である。
尚、電池は充電式のものでもよい。ボディ本体３の尾部下側にはストラップ１０が取り付けられている。
【００１０】  ボディ本体３の先部２内には拡声エレメント１１が内蔵されており、図１および図２に示すように前方へ向けてメガホン音あるいは録音再生音（拡大音）を放つことができるようになっている。１３は中央受筒で、キャップ４内の中央内部に固定して設けられ、その先部にはオネジ筒部である脱着受部１４が設けられている。脱着受部１４の中央には、図７にも示すような電球あるいはＬＥＤでなる投光手段１５が装着されている。
ボディ本体３の周部上側には、ライト／点滅操作ボタン２０・電源／メガホン操作ボタン２１・＋音量用操作ボタン２２・−音量用操作ボタン２３・指示ランプ２４が配備され、周部右側には警報（サイレン）操作ボタン２６がまた周部左側には録音／再生操作ボタン２７が設けられている。
【００１１】  前記散光筒Ｂは、図５に示すように、円筒樹脂製の筒本体３０とその先端に接着一体化した丸キャップ樹脂製の蓋体３１とでなり、筒本体３０と蓋体３１とは共に赤色透明樹脂パイプ材からなり、筒本体３０の蓋体３１とは反対の開口側には前記脱着受部１４に脱着可能なメネジ筒部である脱着部３２が形成されている。
【００１２】  前記ハンマー本体Ｃは、散光筒Ｂの脱着部３２にねじ込まれる基部３５と、その先端側に一体に備えたハンマー受部３６と、ハンマー受部３６内に基部が嵌め込まれ先端にタングステン製先鋭部３７ａが鋭く突設したハンマービット３７とよりなっている。基部３５とハンマー受部３６とは半円柱型で合わさって一体化されるものとされ、一体化はタップビス３８によるネジ込みによりなされる。ハンマービット３７の基部は六角ナット形をしており、ハンマー受部３６内に嵌め込み合体されるようになっている。
【００１３】  機能ボディＡは次のような機能を備える。
散光筒Ｂを外した状態で機能ボディＡのライト／点滅操作ボタン２０を押すと投光手段１５がＯＮし懐中電灯のように機能する。再度同ボタン２０を押すと消灯する。同ボタン２０を約２秒押すと投光手段１５は点滅状態になり、再度押すと点滅は停止する。ライトを使用中に、警報操作ボタン２６を押すとライト点滅状態なるが、警報操作ボタン２６を押すことによりライトの照明あるいは点滅状態も同時停止する。
【００１４】  メガホン機能・録音機能・再生機能・警報機能・音量調節機能を使用するには、先に電源／メガホン操作ボタン２１を押すものとする。
メガホン機能を使用するには、電源／メガホン操作ボタン２１を押せば使用でき、その際指示ランプ２４はブルーに点灯しそののち声受入口７を通じて声をあてることでメガホンとして使用することができる。同ボタン２１を再度押すと使用停止になる。
録音機能は、録音／再生操作ボタン２７を５秒押すことにより指示ランプ２４が赤色に点滅するとともに録音状態になる。同ボタン２７を再度押すと録音は停止する。一定の数分間録音されそれがマックスになると自動的に再生状態となる。
例えば、地震に遭って家屋の瓦礫下に埋もれてしまったような場合に、この録音／再生操作ボタン２７を使用して「助けて！」とか「ここです！」とかの救助メッセージを録音しておき、時間が経過して声を出せなくなる場合に再生メッセージを繰り返し発生させて外部にそれを聞かせて救助を促すようにするために使われる。
【００１５】  警報機能には音光警報と音警報の各機能がある。音光機能は、警報操作ボタン２６を押すと警報音が鳴りながらライトが点滅するもので、再度警報操作ボタン２６を押すと警報音とライトが停止する。音警報機能は、警報操作ボタン２６を押すと音光警報状態になり、この時ライト／点滅操作ボタン２０を押すと点滅が停止し音だけの警報状態となる。警報操作ボタン２６を再度押すと警報音が停止する。
【００１６】  誘導棒として使用する場合、図４のように機能ボディＡに散光筒Ｂを螺合してライト／点滅操作ボタン２０を押すことにより散光作用で誘導棒になり、同ボタン２０を約２秒押すと誘導棒を点滅状態にして使用することができる。
一方、散光筒Ｂの先にハンマー本体Ｃを螺合すると、図６に示すように、ガラス４０の割り器具として車からの緊急脱出に使うことができるようになる。
【００１７】  携行ポーチＰは、図７に示すように、繊維織物を基本として造られ、縦長状をした背本体部４３の表側にそれぞれ上端開口状をした機能ボディ入れ４４と散光筒入れ４５とを形成するとともに散光筒入れ４５の下部表側には短い筒状をなすハンマー本体入れ４６を形成して、小蓋４７で開閉自在とする。４８は面ファスナーで、背本体部４３の大蓋４３ａと両入れ４４、４５との間にも面ファスナー４８が設けられている。
【００１８】  尚、ハンマー本体Ｃは、散光筒Ｂの蓋体３１が設けられていた基端に嵌め込んでおいてその基端を進退孔５０ａ付きのゴム蓋５０で覆い、非常時にそのままガラスを撃ち付けるようにすることで先鋭部３７ａが突き出てガラス面を直接打ち破るようになっている。この例の場合は、散光筒Ｂとハンマー本体Ｃとが一体ものとなる結果、セットとしては機能ボディＡと散光筒Ｂ（ハンマー本体Ｃ付き）の２本のみになり簡略化される。
【符号の説明】
【００１９】  Ａ…機能ボディ  Ｂ…散光筒  Ｃ…ハンマー本体  Ｐ…携行ポーチ  １…把持部  ６…電池  １５…投光手段  ２０〜２４，２６，２７…各種操作ボタン
【図１】
0003223417.tif 000003
【図２】
0003223417.tif 000004
【図３】
0003223417.tif 000005
【図４】
0003223417.tif 000006
【図５】
0003223417.tif 000007
【図６】
0003223417.tif 000008
【図７】
0003223417.tif 000009
【図８】
0003223417.tif 000010